(57)【要約】【課題】  細かな塵埃等にたいする高い掻き上げ力を有し、塵埃等が床面に残る事無く、かつ床面の磨き性能を十分有する回転清掃体を構成する清掃体、回転清掃体、掃除機用吸込具、電気掃除機及び空気調和機を提供する。【解決手段】  清掃体１は、基台２と、基台２の上面に、多数本のパイル４が撚り線状に形成されて植設されたブラシ部３とからなり、ブラシ部３は多数本のパイル４が撚り線状に形成された根部３ａと、概中間部から先端部にかけて、撚りが解れた密集部３ｂが形成されてある。【選択図】図１
2014200282.tif 000002
【特許請求の範囲】
【請求項１】
回転清掃体に装着される清掃体において、前記清掃体は基台と、該基台に形成されたブラシ部とからなり、前記ブラシ部は多数のパイルが撚り線状に形成されてあると共に、少なくとも先端部は撚りが解れた密集部が形成されてあることを特徴とする回転清掃体を構成する清掃体。
【請求項２】
パイルは極細繊維にて形成されてあることを特徴とする請求項1に記載の清掃体。
【請求項３】
軸体の外周面にたいして、請求項１又は２に記載の清掃体を巻きつけて一体的に固着したことを特徴とする回転清掃体。
【請求項４】
清掃体を装着する為の溝部が形成された軸体にたいして、請求項１又は２に記載の清掃体を前記溝部に装着したことを特徴とする回転清掃体。
【請求項５】
請求項３又は４の回転清掃体を備えた掃除機用吸込具。
【請求項６】
電動送風機と、請求項５に記載の掃除機用吸込具とを備え、前記電動送風機と前記掃除機用吸込具とを連通させた電気掃除機。
【請求項７】
本体内に流入する空気中の塵埃を捕獲するエアフィルターと、請求項３又は４の回転清掃体とを備え、該回転清掃体で、前記エアフィルターに付着した塵埃を除去する空気調和機。
【発明の詳細な説明】
【技術分野】
【０００１】
本発明は、床面等の清掃や、空気調和機に取り付けられたエアフィルターの清掃を行う回転清掃体と、この回転清掃体を構成する清掃体、前記回転清掃体を備えた掃除機用吸込具、前記掃除機用吸込具を備えた電気掃除機、及び前記回転清掃体を備えた空気調和機に関するものである。
【背景技術】
【０００２】
従来から、起毛布を巻きつけた円筒ローラと、両端部に形成された円筒状キャップからなる、床面などを拭くための起毛布ローラ体を備えた電気掃除機用吸込具が知られている（特許文献１）。
【０００３】
また、モケットの地糸部を構成する経糸と緯糸がポリエステルフィラメント無撚・交絡が扁平状態で配されている内装用モケットが知られている（特許文献２）。
【先行技術文献】
【特許文献】
【０００４】
【特許文献１】特許第３７７７４９３号公報
【特許文献２】特許第３７５２３５２号公報
【発明の概要】
【発明が解決しようとする課題】
【０００５】
上記特許文献１に開示されている電気掃除機用吸込具は、起毛布ローラ体が床面に接触して、塵埃等を除去するが、起毛布ローラ体は床面への摩擦力により回転するため、掻き上げ力が乏しく、細かな砂利等が床面に残り易く、かつ床面の磨き性能も不十分であるとという課題を有していた。
【０００６】
また、上記特許文献２に開示されている内装用モケットは、車両内装や室内内装用として地経糸と地緯糸で織物を作成して、パイル表面に軟らかい肌触りと風合いを持たせた技術が開示されてあるが、本技術におけるパイルの役割は、クッション性や美観が主であり、床面等の塵埃を除去するためのブラシとしての使用はされていないという課題を有していた。
【０００７】
本発明は、上記のような課題を解決する為になされたもので、細かな塵埃等にたいする高い掻き上げ力を有し、塵埃等が床面に残る事無く、かつ床面の磨き性能を十分有する回転清掃体を構成する清掃体、回転清掃体、掃除機用吸込具、電気掃除機及び空気調和機を提供することを目的としている。
【課題を解決するための手段】
【０００８】
上記従来の課題を解決する為に、請求項１の清掃体の発明は、回転清掃体に装着される清掃体において、前記清掃体は基台と、該基台に形成されたブラシ部とからなり、前記ブラシ部は多数のパイルが撚り線状に形成されてあると共に、少なくとも先端部は撚りが解れた密集部が形成されてあることを特徴としている。したがって、撚り線状のパイルは強い毛腰を有することができ、床面等にたいする押し付け力を確保できる。また、先端部は撚りが解れた密集部であるので、細かな塵埃も確実に捕捉でき、かつ、床面等をピカピカに磨き上げることができる。また、撚りが解れた先端部は、床面に接触することによる摩擦力により自ら撚りの解れを助長することができ、常に一定の密集部を形成することができる。さらにまた、密集部は、回転ブラシの回転時の振動や、床面等からの衝撃を吸収する事ができると共に、振動音の発生を抑える事ができる。密集部の形成方法については、櫛等で撚りを解す等、略均一な密集度が形成できる方法ならば採用できる。
【０００９】
請求項２の発明は、請求項１に記載の構成よりなる清掃体において、パイルは極細繊維にて形成されてあることを特徴としている。上記構成によって、パイルは極細繊維の有する吸着性の高さにより、塵埃を捕捉し易くなる。また、極細繊維の有する吸水性の高さや速乾性の高さにより床面の水分等を吸着後も即時に乾燥させることができる。なお、パイルの直径については、材質により適時設定できるが、好適には１０μ以下が望ましい。１０μ以下の場合においては、極めて細かな塵埃の捕捉性についても優れた性能を発揮できると共に、清掃体として必要とされる毛腰を確保できる。
【００１０】
請求項３の発明は、回転清掃体は、軸体の外周面にたいして、請求項１又は２に記載の清掃体を巻きつけて一体的に固着したことを特徴としている。軸体に清掃体を巻きつけて固着することにより、清掃体を簡易に製作でき、軸体に清掃体を植毛する場合に比べて、回転清掃体の製作時間を大幅に低減できる。また、巻きつけることにより、振動吸収効果において、ばらつきの無い一定の効果を有することができる。
【００１１】
請求項４の発明は、回転清掃体は、清掃体を装着する為の溝部が形成された軸体にたいして、請求項１又は２に記載の清掃体を前記溝部に装着したことを特徴としている。軸体の形成された溝部に清掃体を装着して固定することにより、清掃体の脱落を確実に防止できる。また、目的に応じて、適時、様々な清掃体を溝部に装着できる。
【００１２】
請求項５の発明は、請求項３又は４の回転清掃体を備えた掃除機用吸込具であることを特徴としている。上記構成によって、床面等の細かな塵埃等を確実に捕捉して除去し、磨き性能にも優れた掃除機用吸込具を提供することができる。
【００１３】
請求項６の発明は、電動送風機と、請求項５に記載の掃除機用吸込具とを備え、前記電動送風機と前記掃除機用吸込具とを連通させた電気掃除機であることを特徴としている。上記構成によって、主に、フローリングや畳等の床面の塵埃除去性能と磨き性能に優れた電気掃除機を提供することができる。
【００１４】
請求項７の発明は、本体内に流入する空気中の塵埃を捕獲するエアフィルターと、請求項３又は４の回転清掃体とを備え、該回転清掃体で、前記エアフィルターに付着した塵埃を除去する空気調和機であることを特徴としている。上記構成によって、したがって、エアフィルターに付着した細かな塵埃も確実に捕捉できるため、除去した塵埃のエアフィルターへの再付着を防止できる空気調和機を提供することができる。
【発明の効果】
【００１５】
請求項１の発明では、強い毛腰を有することができ、床面等にたいする押し付け力を確保できる。また、細かな塵埃も確実に捕捉でき、かつ、床面等をピカピカに磨き上げることができる。
【００１６】
また、請求項２の発明では、吸着性の高さにより、塵埃を捕捉し易くなる。また、吸水性の高さや速乾性の高さにより床面の水分等を吸着後も即時に乾燥させることができる。
また、請求項３の発明では、清掃体を簡易に製作でき、回転清掃体の製作時間を大幅に低減できると共に、振動吸収効果において、ばらつきの無い一定の効果を有することができる。また、請求項４の発明では、清掃体の脱落を確実に防止でき、目的に応じて、適時、様々な清掃体を溝部に装着できる。また、請求項５の発明では、床面等の細かな塵埃等を確実に捕捉して除去し、磨き性能にも優れた掃除機用吸込具を提供することができる。また、請求項６の発明では、主に、フローリングや畳等の床面の塵埃除去性能と磨き性能に優れた電気掃除機を提供することができる。また、請求項７の発明では、エアフィルターに付着した細かな塵埃も確実に捕捉でき、除去した塵埃のエアフィルターへの再付着を防止できる空気調和機を提供することができる。
【図面の簡単な説明】
【００１７】
【図１】（ａ）本発明の回転清掃体を構成する清掃体を示す斜視図。（ｂ）図１（ａ）の清掃体の拡大図。（ｃ）清掃体の密集部の形成状態の他の形態を示す斜視図。
【図２】本発明の回転清掃体を構成する他の実施の形態の清掃体を示す斜視図。
【図３】本発明の清掃体が装着された回転清掃体を内蔵した掃除機用吸込具の斜視図。
【図４】図３の掃除機用床吸込具を接続した電気掃除機の全体側面図である。
【図５】本発明の回転清掃体を備えた空気調和機を示す説明図である。
【発明を実施するための形態】
【００１８】
次に、本発明の実施形態を図面に基づいて説明する。図１（ａ）は、本発明の回転清掃体を構成する清掃体を示す斜視図であり、図１（ｂ）は、（ａ）の清掃体の拡大図である。また、図１（ｃ）は、清掃体の密集部の形成状態の他の形態を示す斜視図である。この図１（ａ）及び図１（ｂ）に示すように、清掃体１は、基台２と、基台２の上面に、多数本のパイル４が撚り線状に形成されて植設されたブラシ部３とからなり、ブラシ部３は多数本のパイル４が撚り線状に形成された根部３ａと、概中間部から先端部にかけて、撚りが解れた密集部３ｂが形成されてある。密集部３ｂは、撚りが解されてある為、密集度が略均一で、かつ多数本のパイル４が独立して形成され、綿の如くの表面状態を呈している。パイル４の材質は、アクリル繊維であり、パイル４の線径（直径）は、１０μ以下を使用している。パイル４の材質は、前記以外にも、ナイロンやポリエステル等の合成繊維が使用可能であり、パイル４は繊維断面が鋭角を有する多角形断面等も採用できる。基台２の材質は、基布、樹脂板等、適時採用できる。また、図１（ｃ）の如く、根部３ａから密集部３ｂにかけて、少しずつ密集部３ｂが形成される形態も採用できる。前記形態の場合には、先端部になる程、密集度が増加すると共に、基台２側に近づく程、毛腰を強く形成できる。その為、極めて磨き効果の高い清掃体１を実現できる。なお、密集部は少なくとも先端部に形成されてあれば本発明に含まれるため、目的に応じて、ブラシ部３の全領域に亘って密集部３ｂが形成されてあり、根部３ａが形成されていない形態も、採用できる。
【００１９】
図２は、本発明の回転清掃体を構成する他の実施の形態の清掃体を示す斜視図である。清掃体１１は、概長方形状の基台１２の上面に複数のブラシ部３が形成されてある。ブラシ部３の構成は、図１と同様であるが、本実施の形態の清掃体１１は、回転軸の外周面に巻きつけて使用される。また、図２は、複数のブラシ部３のみで清掃体１１が形成されてあるが、概長方形状の基台１２の上面に、ブラシ部３とブレードやブラシ毛を植設した起毛布を組合わせて清掃体を構成することも、本発明に含まれる。
【００２０】
図３は、本発明の清掃体が装着された回転清掃体を内蔵した掃除機用吸込具を示す一部分解斜視図である。清掃体１は、回転清掃体４０の溝部７０に装着され、螺旋状に形成されてある。そのため、フローリング等の床面にたいして、ブラシ部３の先端部に形成された密集部３ｂが当接して、床面をピカピカに磨き上げることができ、かつ密集部３ｂ内に形成された多数本のパイル４間に、細かな塵埃も入り込み、確実に捕捉して除去できる。また、撚り線状のパイルは強い毛腰を有することができ、床面等にたいする押し付け力を確保できるため、じゅうたんにたいして、高い叩き効果と掻き出し効果を発揮できる。また、密集部にてじゅうたん内部の細かな塵埃も確実に捕捉できる。また、回転清掃体４０に装着する清掃体は、少なくとも本発明の清掃体１が少なくとも１本以上装着されてあればよく、ブレードやブラシ毛を植設した起毛布を組合わせる事により、フローリング、じゅうたん、畳等のさまざまな床面にたいして最適な清掃効果を発揮できる。
【００２１】
また、図３に示す掃除機用床吸込具２０の下ケース２１の前部３０の底部３１に開口する吸込口２２に清掃体１の開放端が臨むようにして軸受４１を下ケース２１の両側部の軸受支工２３にはめ合せて保持していると共に、回転清掃体４０の駆動装置は、ベルト１４を介して前記回転清掃体４０を駆動回転する。下ケース２１に設ける仕切２４から後部分において下ケース２１にかぶせている上ケース２５とによって構成する後部２６に内蔵している。
【００２２】
回転清掃体４０をとりつけた下ケース２１の部分には、着脱自在に前ケース（図示していない）をかぶせた前部３０が構成されてあり、この中で回転清掃体４０が回転すると清掃体１の開放端が吸込口２２において床面と接触摩擦して床面に付着している塵を離脱し跳上げる。掃除機用床吸込具２０は、上記下ケース２１の仕切２４の中央部に吸入開口２８を設け、後部２６に上ケース２５と下ケース２１とにはさんでパイプ２９をとりつけこれを延長管やフレキシブルホース（ともに図示していない）を経由して掃除機本体（図示していない）へ接続している。掃除機を運転すると掃除機用床吸込具２０の吸込口２２から床面の空気が吸入され、上記吸入開口２８、パイプ２９を通って掃除機へ吸い込まれる。このとき、清掃体１が回転する事により、床面の塵は跳ね上げられて空気と共に吸入される。
【００２３】
図４は、上述した回転清掃体を備えた掃除機用床吸込具を接続した電気掃除機の全体側面図である。電気掃除機１００は、前部に塵埃を捕集する集塵室５１と、後部に電動送風機５２を内蔵した電動送風機室５３をそれぞれ備えた掃除機本体５０と、集塵室５１に連通するように一端が掃除機本体５０に接続されるホース５４と、ホース５４の他端に設けられたハンドルパイプ５５に着脱自在に接続される延長管５６とを備え、延長管５６の他端に、掃除機用吸込具２０が接続される。
【００２４】
上記構成により、掃除機本体５０を運転し、ハンドルパイプ５５を操作して、掃除機用床吸込具２０をフローリングやじゅうたん上で操作すると、掃除機用床吸込具２０に内蔵されたモータにより回転清掃体が回転し、多数本のパイルが撚り線状に形成された根部と、概中間部から先端部にかけて、撚りが解れた密集部が形成されてあるブラシ部により、塵埃が掻き上げられ、電動送風機５２による吸引力で、空気と共に塵埃が、延長管５６、ホース５４を通って集塵室５１に流れ込みそこで塵埃が捕集される。
【００２５】
図５は、上述した回転清掃体を備えた空気調和機を示す説明図である。空気調和機本体６０は、熱交換器６１と、室内の空気を取り入れる吸込口６２と、前記熱交換器６１と吸込口６２の間に配され、吸込口６２から流入する空気中に含まれる塵埃を捕獲するエアフィルター６３と、エアフィルター６３の上流側に配されると共に、エアフィルター６３で捕獲された塵埃を除去する回転清掃体８０と、回転清掃体８０を回転駆動する回転駆動手段（図示せず）と、回転清掃体８０をエアフィルター６３の上流側の表面に沿って上下方向に移動させる上下移動手段（図示せず）と、吸込口６２から室内の空気を吸引し、エアフィルター６３、熱交換器６１を通して、吹き出し口６４から、熱交換された空気を室内に吹き出すファン６５とを備えている。
【００２６】
尚、本発明の趣旨を逸脱しない範囲で様々な実施形態を採用することができることは言うまでもない。
【産業上の利用可能性】
【００２７】
本発明の回転清掃体を構成する清掃体、回転清掃体、掃除機用吸込具、電気掃除機及び空気調和機は、各種清掃作業を行うことができる回転清掃体を備えた電気掃除機として、或いはエアフィルターの清掃を行うことができる回転清掃体を備えた空気調和機として利用される。
【符号の説明】
【００２８】
１、１１  清掃体
２、１２  基台
３  ブラシ部
３ａ  根部
３ｂ  密集部
４  パイル
１４  ベルト
２０  掃除機用吸込具
２１  下ケース
２２、６２  吸込口
２３  軸受支工
２４  仕切
２５  上ケース
２６  後部
２８  吸入開口
２９  パイプ
３０  前部
３１  底部
４０、８０  回転清掃体
４１  軸受
５０  掃除機本体
５１  集塵室
５２  電動送風機
５３  電動送風機室
５４  ホース
５５  ハンドルパイプ
５６  延長管
６０  空気調和機本体
６１  熱交換器
６３  エアフィルター
６４  吹き出し口
６５  ファン
７０  溝部
１００  電気掃除機
【図１】
2014200282.tif 000003
【図２】
2014200282.tif 000004
【図３】
2014200282.tif 000005
【図４】
2014200282.tif 000006
【図５】
2014200282.tif 000007